(57)【要約】  超高スループット（ＶＨＴ）ワイヤレスシステムのためのチャネル状態情報（ＣＳＩ）フィードバックの統一フォーマットを発生させる技術を提供する。１つの例示的な方法は、第１の装置において、第２の装置が単一ユーザＭＩＭＯ（ＳＵ−ＭＩＭＯ）またはマルチユーザＭＩＭＯ（ＭＵ−ＭＩＭＯ）を使用して第１の装置と通信している場合に、ＳＮＲに関連する情報を含むフレームを発生させることと、発生させたフレームに基づく信号を第２の装置に送信することとを含む。別の例示的な方法は、装置において、ＣＳＩを含む構造を発生させることと、チャネルにわたって構造を送信することとを含み、ＣＳＩは、装置に関係付けられているチャネルの推定を持つ第１の行列、または、第１の行列の特異値分解（ＳＶＤ）に基づいて取得される第２の行列のうちの少なくとも１つを含み、構造は、第１および第２のいずれの行列がＣＳＩ中に含まれているかの表示をさらに含む。【選択図】図１１
2013542688.tif 000002
【特許請求の範囲】
【請求項１】
ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるように構成されている処理システムと、
前記発生させたフレームに基づく信号を前記第２の装置に送信するように構成されている送信機とを具備する第１の装置。
【請求項２】
前記フレームは、ギブンス回転角ΨおよびΦのそれぞれに対するビット分解を示す２ビットを含む請求項１記載の第１の装置。
【請求項３】
前記フレームは、前記ＳＮＲの値を表すためのビットの数を示す２ビットを含む請求項１記載の第１の装置。
【請求項４】
前記ビットの数が４ビットである請求項３記載の第１の装置。
【請求項５】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項３記載の第１の装置。
【請求項６】
前記フレームは、トーングルーピングのためのグループパラメータの数（Ｎｇ’）を示す２ビットを含む請求項１記載の第１の装置。
【請求項７】
ワイヤレス通信のための方法において、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させることと、
前記発生させたフレームに基づく信号を前記第２の装置に送信することとを含む方法。
【請求項８】
前記フレームは、ギブンス回転角ΨおよびΦのそれぞれに対するビット分解を示す２ビットを含む請求項７記載の方法。
【請求項９】
前記フレームは、前記ＳＮＲの値を表すためのビットの数を示す２ビットを含む請求項７記載の方法。
【請求項１０】
前記ビットの数が４ビットである請求項９記載の方法。
【請求項１１】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項９記載の方法。
【請求項１２】
前記フレームは、トーングルーピングのためのグループパラメータの数（Ｎｇ’）を示す２ビットを含む請求項７記載の方法。
【請求項１３】
ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させる手段と、
前記発生させたフレームに基づく信号を前記第２の装置に送信する手段とを具備する第１の装置。
【請求項１４】
前記フレームは、ギブンス回転角ΨおよびΦのそれぞれに対するビット分解を示す２ビットを含む請求項１３記載の第１の装置。
【請求項１５】
前記フレームは、前記ＳＮＲの値を表すためのビットの数を示す２ビットを含む請求項１３記載の第１の装置。
【請求項１６】
前記ビットの数が４ビットである請求項１５記載の第１の装置。
【請求項１７】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項１５記載の第１の装置。
【請求項１８】
前記フレームは、トーングルーピングのためのグループパラメータの数（Ｎｇ’）を示す２ビットを含む請求項１３記載の第１の装置。
【請求項１９】
ワイヤレス通信のためのコンピュータプログラムプロダクトにおいて、
コンピュータ読取可能媒体を含み、
前記コンピュータ読取可能媒体は、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるために実行可能な命令と、
前記発生させたフレームに基づく信号を前記第２の装置に送信するために実行可能な命令とを含むコンピュータプログラムプロダクト。
【請求項２０】
ワイヤレスノードにおいて、
少なくとも１本のアンテナと、
装置が、単一ユーザ複数入力複数出力（ＳＵ−ＭＩＭＯ）またはマルチユーザＭＩＭＯ（ＭＵ−ＭＩＭＯ）を使用して前記ワイヤレスノードと通信している場合に、信号対ノイズ比（ＳＮＲ）に関連する情報を含むフレームを発生させるように構成されている処理システムと、
前記発生されたフレームに基づいて、前記少なくとも１本のアンテナを介して、信号を前記装置に送信するように構成されている送信機とを具備するワイヤレスノード。
【請求項２１】
ワイヤレス通信のための装置において、
チャネル状態情報（ＣＳＩ）を含む構造を発生させるように構成されている処理システムと、
チャネルにわたって前記構造を送信するように構成されている送信機とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含む装置。
【請求項２２】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項２１記載の装置。
【請求項２３】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項２１記載の装置。
【請求項２４】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項２１記載の装置。
【請求項２５】
前記処理システムは、前記第１の行列、前記第２の行列、または、前記構造に含めるための１つ以上のパラメータのうちの少なくとも１つを決定するように構成されている請求項２１記載の装置。
【請求項２６】
前記１つ以上のパラメータは、前記ＣＳＩのサンプリングについての表示、または、前記ＣＳＩを表すために使用されるビットの数についての表示のうちの少なくとも１つを含む請求項２５記載の装置。
【請求項２７】
ワイヤレス通信のための方法において、
装置において、チャネル状態情報（ＣＳＩ）を含む構造を発生させることと、
チャネルにわたって前記構造を送信することを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含む方法。
【請求項２８】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項２７記載の方法。
【請求項２９】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項２７記載の方法。
【請求項３０】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項２７記載の方法。
【請求項３１】
前記第１の行列、前記第２の行列、または、前記構造に含めるための１つ以上のパラメータのうちの少なくとも１つを決定することをさらに含む請求項２７記載の方法。
【請求項３２】
前記１つ以上のパラメータは、前記ＣＳＩのサンプリングについての表示、または、前記ＣＳＩを表すために使用されるビットの数についての表示のうちの少なくとも１つを含む請求項３１記載の方法。
【請求項３３】
ワイヤレス通信のための装置において、
チャネル状態情報（ＣＳＩ）を含む構造を発生させる手段と、
チャネルにわたって前記構造を送信する手段とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含む装置。
【請求項３４】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項３３記載の装置。
【請求項３５】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項３３記載の装置。
【請求項３６】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項３３記載の装置。
【請求項３７】
前記第１の行列、前記第２の行列、または、前記構造に含めるための１つ以上のパラメータのうちの少なくとも１つを決定する手段をさらに具備する請求項３３記載の装置。
【請求項３８】
前記１つ以上のパラメータは、前記ＣＳＩのサンプリングについての表示、または、前記ＣＳＩを表すために使用されるビットの数についての表示のうちの少なくとも１つを含む請求項３７記載の装置。
【請求項３９】
ワイヤレス通信のためのコンピュータプログラムプロダクトにおいて、
コンピュータ読取可能媒体を含み、
前記コンピュータ読取可能媒体は、
装置において、チャネル状態情報（ＣＳＩ）を含む構造を発生させるために実行可能な命令と、
チャネルにわたって前記構造を送信するために実行可能な命令とを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含むコンピュータプログラムプロダクト。
【請求項４０】
アクセス端末において、
少なくとも１本のアンテナと、
チャネル状態情報（ＣＳＩ）を含む構造を発生させるように構成されている処理システムと、
前記少なくとも１本のアンテナを介して、チャネルにわたって前記構造を送信するように構成されている送信機とを具備し、
前記ＣＳＩは、前記アクセス端末に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含むアクセス端末。
【発明の詳細な説明】
【関連出願への相互参照】
【０００１】
本出願は、２０１０年１０月２６日に出願された米国仮特許出願シリアル番号６１／４０６，９７７（代理人番号１０３２９５Ｐ１）と、２０１０年１０月２８日に出願された米国仮特許出願シリアル番号６１／４０７，８１７（代理人番号１０３３０７Ｐ１）と、２０１０年１０月２８日に出願された米国仮特許出願シリアル番号６１／４０７，８８６（代理人番号１０３３０７Ｐ２）の利益を主張し、これらのすべては、参照によりここに組み込まれている。
【分野】
【０００２】
本開示のある特定の態様は、一般的に、ワイヤレス通信に関連し、より詳細には、超高スループット（ＶＨＴ）ワイヤレスシステムのためのチャネル状態情報（ＣＳＩ）フィードバックの統一フォーマットを発生させることに関連している。
【背景】
【０００３】
ワイヤレス通信システムに対して求められる増加する帯域幅要件の問題を取り扱うために、複数のユーザ端末が、高データスループットを達成しつつ、チャネルリソースを共有することによって、単一のアクセスポイントと通信することを可能にする異なるスキームが開発されている。複数入力複数出力（ＭＩＭＯ）技術は、次世代の通信システムのための普及している技術として近年登場したこのようなアプローチの１つを代表する。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、（例えば、数十メートルから数百メートルの）短距離通信のためにＩＥＥＥ８０２．１１委員会によって開発された、１組のワイヤレスローカルエリアネットワーク（ＷＬＡＮ）のエアインターフェース標準規格を指す。
【０００４】
ＭＩＭＯシステムは、データ送信のために、複数（ＮT本）の送信アンテナおよび複数（ＮR本）の受信アンテナを用いる。ＮT本の送信アンテナおよびＮR本の受信アンテナによって形成されたＭＩＭＯチャネルは、空間チャネルとも呼ばれるＮS個の独立したチャネルに分解されてもよく、ここで、Ｎs≦ｍｉｎ｛ＮT，ＮR｝である。ＮS個の独立したチャネルのそれぞれは、次元に対応する。ＭＩＭＯシステムは、複数の送信および受信アンテナにより生成される追加の次元が利用される場合、向上した性能（例えば、より高いスループットおよび／またはより大きな信頼性）を提供できる。
【０００５】
単一のアクセスポイント（ＡＰ）と複数のユーザ局（ＳＴＡ）とを持つワイヤレスネットワークでは、アップリンクおよびダウンリンク方向の双方において、異なる局に向けた複数のチャネルで平行送信が起こることがある。そのようなシステムには多くの課題が存在する。
【概要】
【０００６】
本開示のある特定の態様は、ワイヤレス通信のための第１の装置を提供する。第１の装置は、一般的に、第２の装置が、単一ユーザ複数入力複数出力（ＳＵ−ＭＩＭＯ）またはマルチユーザＭＩＭＯ（ＭＵ−ＭＩＭＯ）を使用して第１の装置と通信している場合に、信号対ノイズ比（ＳＮＲ）に関連する情報を含むフレームを発生させるように構成されている処理システムと、発生させたフレームに基づく信号を第２の装置に送信するように構成されている送信機とを具備する。
【０００７】
本開示のある特定の態様は、ワイヤレス通信のための方法を提供する。方法は、一般的に、第１の装置において、第２の装置がＳＵ−ＭＩＭＯまたはＭＵ−ＭＩＭＯを使用して第１の装置と通信している場合に、ＳＮＲに関連する情報を含むフレームを発生させることと、発生させたフレームに基づく信号を第２の装置に送信することとを含む。
【０００８】
本開示のある特定の態様は、ワイヤレス通信のための第１の装置を提供する。第１の装置は、一般的に、第２の装置がＳＵ−ＭＩＭＯまたはＭＵ−ＭＩＭＯを使用して第１の装置と通信している場合に、ＳＮＲに関連する情報を含むフレームを発生させる手段と、発生させたフレームに基づく信号を第２の装置に送信する手段とを具備する。
【０００９】
本開示のある特定の態様は、ワイヤレス通信のためのコンピュータプログラムプロダクトを提供する。コンピュータプログラムプロダクトは、一般的に、第１の装置において、第２の装置がＳＵ−ＭＩＭＯまたはＭＵ−ＭＩＭＯを使用して第１の装置と通信している場合に、ＳＮＲに関連する情報を含むフレームを発生させるために実行可能な命令と、発生させたフレームに基づく信号を第２の装置に送信するために実行可能な命令とを有するコンピュータ読取可能媒体を含む。
【００１０】
本開示のある特定の態様は、ワイヤレスノードを提供する。ワイヤレスノードは、一般的に、少なくとも１本のアンテナ；装置がＳＵ−ＭＩＭＯまたはＭＵ−ＭＩＭＯを使用してワイヤレスノードと通信している場合に、ＳＮＲに関連する情報を含むフレームを発生させるように構成されているプロセッサシステム；発生されたフレームに基づいて、少なくとも１本のアンテナを介して、信号を装置に送信するように構成されている送信機を具備する。
【００１１】
本開示のある特定の態様は、ワイヤレス通信のための方法を提供する。方法は、一般的に、装置において、チャネル状態情報（ＣＳＩ）を含む構造を発生させることと、チャネルにわたって構造を送信することとを含み、ＣＳＩは、装置に関係付けられているチャネルの推定を持つ第１の行列、または、第１の行列の特異値分解（ＳＶＤ）に基づいて取得される第２の行列のうちの少なくとも１つを含み、構造は、第１および第２のいずれの行列がＣＳＩ中に含まれているかの表示をさらに含む。
【００１２】
本開示のある特定の態様は、ワイヤレス通信のための装置を提供する。装置は、一般的に、ＣＳＩを含む構造を発生させるように構成されている処理システムと、チャネルにわたって構造を送信するように構成されている送信機とを具備し、ＣＳＩは、装置に関係付けられているチャネルの推定を持つ第１の行列、または、第１の行列のＳＶＤに基づいて取得される第２の行列のうちの少なくとも１つを含み、構造は、第１および第２のいずれの行列がＣＳＩ中に含まれているかの表示をさらに含む。
【００１３】
本開示のある特定の態様は、ワイヤレス通信のための装置を提供する。装置は、一般的に、ＣＳＩを含む構造を発生させる手段と、チャネルにわたって構造を送信する手段とを具備し、ＣＳＩは、装置に関係付けられているチャネルの推定を持つ第１の行列、または、第１の行列のＳＶＤに基づいて取得される第２の行列のうちの少なくとも１つを含み、構造は、第１および第２のいずれの行列がＣＳＩ中に含まれているかの表示をさらに含む。
【００１４】
ある特定の態様は、ワイヤレス通信のためのコンピュータプログラムプロダクトを提供する。コンピュータプログラムプロダクトは、一般的に、装置において、ＣＳＩを含む構造を発生させるために実行可能な命令と、チャネルにわたって構造を送信するための命令とを有するコンピュータ読取可能媒体を含み、ＣＳＩは、装置に関係付けられているチャネルの推定を持つ第１の行列、または、第１の行列のＳＶＤに基づいて取得される第２の行列のうちの少なくとも１つを含み、構造は、第１および第２のいずれの行列がＣＳＩ中に含まれているかの表示をさらに含む。
【００１５】
ある特定の態様は、アクセス端末を提供する。アクセス端末は、一般的に、少なくとも１本のアンテナと、ＣＳＩを含む構造を発生させるように構成されている処理システムと、少なくとも１本のアンテナを介して、チャネルにわたって構造を送信するように構成されている送信機とを具備し、ＣＳＩは、アクセス端末に関係付けられているチャネルの推定を持つ第１の行列、または、第１の行列のＳＶＤに基づいて取得される第２の行列のうちの少なくとも１つを含み、構造は、第１および第２のいずれの行列がＣＳＩ中に含まれているかの表示をさらに含む。
【図面の簡単な説明】
【００１６】
上述した本開示の特徴を詳細に理解できるように、上記で簡潔に概要を述べた、より詳細な説明が、そのいくつかが付随した図面中に図示されている態様を参照することにより行われる。しかしながら、付随した図面は、本開示のある典型的な態様のみを図示しており、それゆえ、その範囲を限定するものとして考えられるものではなく、説明のために、他の同等に効果的な態様を認めてもよいことに留意すべきである。
【図１】図１は、本開示のある特定の態様にしたがったワイヤレス通信ネットワークのダイヤグラムを図示している。
【図２】図２は、本開示のある特定の態様にしたがった、例示的なアクセスポイントおよびユーザ端末のブロックダイヤグラムを図示している。
【図３】図３は、本開示のある特定の態様にしたがった例示的なワイヤレスデバイスのブロックダイヤグラムを図示している。
【図４】図４は、本開示のある特定の態様にしたがった例示的なチャネル状態情報（ＣＳＩ）フィードバックフレームフォーマットを図示している。
【図５】図５は、本開示のある特定の態様にしたがった、図４のＣＳＩフィードバックフレームフォーマットの例示的な超高スループット（ＶＨＴ）複数入力複数出力（ＭＩＭＯ）制御フィールドを図示している。
【図６】図６は、本開示のある特定の態様にしたがった例示的な統一ＣＳＩフィードバックフレームフォーマットを図示している。
【図７】図７は、本開示のある特定の態様にしたがった、ＶＨＴワイヤレスシステムのためのＣＳＩフィードバックの統一フレームフォーマットを発生させる例示的な動作を図示している。
【図７Ａ】図７Ａは、図７に示しめされている動作を実行することができる例示的な手段を図示している。
【図８】図８は、本開示のある特定の態様にしたがった、図６のＣＳＩフィードバックフレームフォーマットの例示的なＶＨＴ ＭＩＭＯ制御フィールドを図示している。
【図９Ａ】図９Ａは、本開示のある特定の態様にしたがった、図８のＶＨＴ ＭＩＭＯ制御フィールドのコードブック情報フィールドにより示されるパラメータの例示的な表を図示しており、トーングルーピング、および、デルタＳＮＲに対するビット数の双方が変化してもよい。
【図９Ｂ】図９Ｂは、本開示のある特定の態様にしたがった、図８のＶＨＴ ＭＩＭＯ制御フィールドのコードブック情報フィールドにより示されるパラメータの例示的な表を図示しており、トーングルーピングが変化してもよい。
【図１０】図１０は、本開示のある特定の態様にしたがった、異なるＣＳＩフィードバックタイプに対する例示的な性能結果を図示している。
【図１１】図１１は、本開示のある特定の態様にしたがった例示的な統一ＣＳＩフィードバックフレームフォーマットを図示している。
【図１２Ａ】図１２Ａは、本開示のある特定の態様にしたがった、図１１のＶＨＴ ＭＩＭＯ制御フィールドのコードブック情報フィールドにより示されるギブンス回転角のそれぞれに対するビット分解の例示的な表を図示しており、ここで、フィードバックタイプは、ＶベースのＣＳＩフィードバックである。
【図１２Ｂ】図１２Ｂは、本開示のある特定の態様にしたがった、図１１のＶＨＴ ＭＩＭＯ制御フィールドのコードブック情報フィールドにより示されるＩおよびＱの双方に対するビット分解の例示的な表を図示しており、ここで、フィードバックタイプは、ＨベースのＣＳＩフィードバックである。
【図１３】図１３は、本開示のある特定の態様にしたがった、統一ＣＳＩフィードバックフレームを構築し、ＣＳＩフィードバックフレームを送信する例示的な動作を図示している。
【図１３Ａ】図１３Ａは、図１３の動作を実行することができる例示的な手段を図示している。
【詳細な説明】
【００１７】
下記において、添付した図面を参照して、本開示のさまざまな態様がより完全に説明されている。しかしながら、本開示は、多くの異なる形態で具現化され、本開示全体を通して提示される任意の特定の構造または機能に限定されるものとして解釈すべきではない。そうではなく、これらの態様は、本開示を徹底的かつ完全なものとし、本開示の範囲が当業者に十分に伝わるように提供されている。ここでの教示に基づいて、本開示の範囲は、本発明の他の任意の態様と別々に実現するか、または、それらと組み合わせて実現するかにかかわらず、ここで開示した開示の任意の態様をカバーすることを意図していることを、当業者は正しく認識すべきである。例えば、ここで述べる任意の数の態様を使用して、装置を実現してもよく、または、方法を実施してもよい。さらに、ここで示す本開示のさまざまな態様に加えて、あるいは、ここで示す本開示のさまざまな態様以外の、他の構造、機能性、あるいは、構造および機能性を使用して実施される、このような装置または方法をカバーすることを意図している。ここに開示した開示の任意の態様は、請求項のうちの１つ以上のエレメントにより具現化されてもよいことを理解すべきである。
【００１８】
“例示的な”という用語は、ここでは、“例、事例、または例示として機能すること”を意味するように使用される。“例示的な”ものとして、ここで記述する任意の態様は、他の態様と比較して、必ずしも、好ましいまたは効果的なものと解釈されるものではない。
【００１９】
特定の態様がここに説明されているが、これらの態様の多くの変形および置換が、本開示の範囲内に含まれる。好ましい態様のいくつかの利益および利点が述べられているが、本開示の範囲は、特定の利益、使用または目的に限定されることを意図しない。そうではなく、本開示の態様は、異なるワイヤレス技術、システム構成、ネットワークおよび伝送プロトコルに広く適用可能であることが意図され、そのうちのいくつかは、図面および好ましい態様の以下の説明において、例として示されている。詳細な説明および図面は、限定するものではなく、単に開示を図示するものに過ぎず、本開示の範囲は、付随した特許請求の範囲およびその同等物によって定義される。
【００２０】
例示的なワイヤレス通信システム
ここに説明される技術は、直交多重スキームに基づく通信システムを含む、さまざまなブロードバンドワイヤレス通信システムのために使用されてもよい。そのような通信システムの例には、空間分割多元接続（ＳＤＭＡ）、時分割多元接続（ＴＤＭＡ）、直交周波数分割多元接続（ＯＦＤＭＡ）システム、単一搬送波周波数分割多元接続（ＳＣ−ＦＤＭＡ）システム等が含まれる。ＳＤＭＡシステムは、異なる方向を十分に利用して、複数のユーザ端末に属するデータを同時に送信してもよい。ＴＤＭＡシステムは、各タイムスロットが異なるユーザ端末に割り当てられている異なるタイムスロットに、送信信号を分割することにより、複数のユーザ端末が同一の周波数チャネルを共有することを可能にしてもよい。ＯＦＤＭＡシステムは、システム全体の帯域幅を複数の直交副搬送波に区分する変調技術である直交周波数分割多重化（ＯＦＤＭ）を利用する。これら副搬送波は、トーン、ビン等と呼ばれることもある。ＯＦＤＭを用いることにより、各副搬送波がデータによって別々に変調されてもよい。ＳＣ−ＦＤＭＡシステムは、インターリーブドＦＤＭＡ（ＩＦＤＭＡ）を利用して、システム帯域幅にわたって分散した副搬送波で送信し、ローカライズドＦＤＭＡ（ＬＦＤＭＡ）を利用して、隣接する副搬送波の１つのブロックで送信し、または、エンハンスドＦＤＭＡ（ＥＦＤＭＡ）を利用して、隣接する副搬送波の複数のブロックで送信してもよい。一般的に、ＯＦＤＭによる周波数ドメインにおいて、および、ＳＣ−ＦＤＭＡによる時間ドメインにおいて、変調シンボルが送信される。
【００２１】
ここでの教示は、さまざまなワイヤードまたはワイヤレス装置（例えば、ノード）に組み込まれてもよい（例えば、それらの中で実現される、または、それらによって実行される）。いくつかの態様では、ここでの教示にしたがって実現されたワイヤレスノードは、アクセスポイントまたはアクセス端末を備えてもよい。
【００２２】
アクセスポイント（“ＡＰ”）は、ノードＢ、無線ネットワーク制御装置（“ＲＮＣ”）、進化ノードＢ（ｅＮＢ）、基地局制御装置（“ＢＳＣ”）、基地トランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、または、他のいくつかの専門用語を備えてもよく、これらとして実現されてもよく、または、これらとして知られていることがある。
【００２３】
アクセス端末（“ＡＴ”）は、加入者局、加入者ユニット、移動局（ＭＳ）、遠隔局、遠隔端末、ユーザ端末（ＵＴ）、ユーザエージェント、ユーザデバイス、ユーザ機器（ＵＥ）、ユーザ局、または、他のいくつかの専門用語を備えてもよく、これらとして実現されてもよく、または、これらとして知られていることがある。いくつかのインプリメンテーションにおいて、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有するハンドヘルドデバイス、局（“ＳＴＡ”）、または、ワイヤレスモデムに接続された他のいくつかの適切な処理デバイスを備えてもよい。したがって、ここで教示される１つ以上の態様は、電話（例えば、セルラ電話機またはスマートフォン）、コンピュータ（例えば、ラップトップ）、タブレット、ポータブル通信デバイス、ポータブルコンピューティングデバイス（例えば、パーソナルデータアシスタント）、エンターテイメントデバイス（例えば、音楽もしくはビデオデバイス、または衛星ラジオ）、グローバルポジショニングシステム（ＧＰＳ）デバイス、または、ワイヤレスまたはワイヤード媒体を介して通信するように構成されている他の任意の適切なデバイスに組み込まれてもよい。いくつかの態様では、ノードはワイヤレスノードである。そのようなワイヤレスノードは、例えば、ワイヤードまたはワイヤレス通信リンクを介した、ネットワーク（例えば、インターネットまたはセルラネットワークのようなワイドエリアネットワーク）のための接続、または、ネットワークへの接続を提供してもよい。
【００２４】
図１は、アクセスポイントとユーザ端末とを持つ多元接続複数入力複数出力（ＭＩＭＯ）システム１００を図示している。明瞭にするために、図１には１つのアクセスポイント１１０のみが示されている。アクセスポイントは、一般的に、ユーザ端末と通信する固定局であり、基地局または他のいくつかの専門用語で呼ばれることがある。ユーザ端末は、固定または移動性であってもよく、移動局、ワイヤレスデバイスまたは他のいくつか専門用語で呼ばれることもある。アクセスポイント１１０は、ダウンリンクおよびアップリンクで、任意の所定の瞬間に１つ以上のユーザ端末１２０と通信してもよい。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピアツーピアで通信してもよい。システム制御装置１３０は、アクセスポイントに結合し、アクセスポイントのための調整および制御を提供する。
【００２５】
以下の開示の一部では、空間分割多元接続（ＳＤＭＡ）を介して通信することができるユーザ端末１２０が説明されるが、ある特定の態様では、ユーザ端末１２０はまた、ＳＤＭＡをサポートしないいくつかのユーザ端末を含んでもよい。したがって、そのような態様では、ＡＰ１１０は、ＳＤＭＡユーザ端末および非ＳＤＭＡユーザ端末の双方と通信するように構成されていてもよい。このアプローチにより、より新しいＳＤＭＡユーザ端末が適切であると判断され導入されることを可能にしつつ、より古いバージョンのユーザ端末（“レガシー”局）の耐用年数を延長して、それらが事業において用いられ続けることを有利に可能してもよい。
【００２６】
システム１００は、ダウンリンクおよびアップリンクでのデータ伝送のために、複数の送信アンテナおよび複数の受信アンテナを用いる。アクセスポイント１１０は、Ｎap本のアンテナを装備し、ダウンリンク送信のための複数入力（ＭＩ）と、アップリンク送信のための複数出力（ＭＯ）とを表す。選択されたＫ個のユーザ端末１２０のセットは集合的に、ダウンリンク送信のための複数出力と、アップリンク送信のための複数入力とを表す。純粋なＳＤＭＡでは、Ｋ個のユーザ端末に対するデータシンボルストリームが、いくつかの手段により、コード、周波数または時間で多重化されていない場合に、Ｎap≧Ｋ≧１を有することが望ましい。データシンボルストリームを、ＴＤＭＡ技術、ＣＤＭＡによる異なるコードチャネル、ＯＦＤＭによるサブバンドの互いに素なセット等を使用して多重化できる場合に、ＫはＮapよりも大きくなってもよい。各選択されたユーザ端末は、アクセスポイントにユーザ固有のデータを送信し、および／または、アクセスポイントからユーザ固有のデータを受信する。一般的に、各選択されたユーザ端末は、１本または複数（すなわち、Ｎut≧１本）のアンテナを装備してもよい。選択されたＫ個のユーザ端末は、同数のまたは異なる数のアンテナを有することができる。本開示のある特定の態様では、ユーザ端末（例えば、ユーザ端末１２０ｄ）は、フィードバック（ＦＢ）フレーム１４０を発生させ、発生させたＦＢフレーム１４０に基づいて、信号をＡＰ１１０に送信してもよい。
【００２７】
ＳＤＭＡシステムは、時分割デュプレクス（ＴＤＤ）システムまたは周波数分割デュプレクス（ＦＤＤ）システムであってもよい。ＴＤＤシステムでは、ダウンリンクおよびアップリンクは、同一の周波数帯域を共有する。ＦＤＤシステムでは、ダウンリンクおよびアップリンクは、異なる周波数帯域を使用する。ＭＩＭＯシステム１００はまた、伝送のために単一の搬送波または複数の搬送波を利用してもよい。各ユーザ端末は、（例えば、コストを低く抑えるために）単一のアンテナを、または、（例えば、さらなるコストをサポート出来る場合には）複数のアンテナを装備してもよい。システム１００はまた、ユーザ端末１２０が、各タイムスロットが異なるユーザ端末１２０に割り当てられている異なるタイムスロットに、送信／受信を分割することにより、同一の周波数チャネルを共有する場合、ＴＤＭＡシステムであってもよい。
【００２８】
図２は、ＭＩＭＯシステム１００における、アクセスポイント１１０ならびに２個のユーザ端末１２０ｍおよび１２０ｘのブロックダイヤグラムを図示している。アクセスポイント１１０には、Ｎt本のアンテナ２２４ａないし２２４ａｐが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２ｘａないし２５２ｘｕが装備されている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。ここで使用される、“送信エンティティ”は、ワイヤレスチャネルを介してデータを送信できる、独立して動作する装置またはデバイスであり、“受信エンティティ”は、ワイヤレスチャネルを介してデータを受信できる、独立して動作する装置またはデバイスである。以下の説明では、下付きの文字“ｄｎ”はダウンリンクを表し、下付きの文字“ｕｐ”はアップリンクを表し、Ｎup個のユーザ端末が、アップリンクでの同時送信のために選択され、Ｎdn個のユーザ端末が、ダウンリンクでの同時送信のために選択されるが、Ｎupは、Ｎdnと等しくてもよく、または、等しくなくてもよく、ＮupおよびＮdnは、各スケジューリング間隔に対して、静的な値であってもよく、または、変化できる。ビームステアリングまたは他のいくつかの空間処理技術が、アクセスポイントおよびユーザ端末において使用されてもよい。
【００２９】
アップリンクでは、アップリンク送信のために選択された各ユーザ端末１２０において、ＴＸデータプロセッサ２８８は、データソース２８６からトラフィックデータを、制御装置２８０から制御データを受け取る。ある特定の態様では、データソース２８６からのトラフィックデータに基づいて、ＦＢフレーム１４０を発生させてもよい。ＴＸデータプロセッサ２８８は、ユーザ端末に対して選択されたレートに関連付けられているコーディングおよび変調スキームに基づいて、ユーザ端末のためのトラフィックデータを処理（例えば、エンコード、インターリーブおよび変調）し、データシンボルストリームを提供する。ＴＸ空間プロセッサ２９０が、データシンボルストリームで空間処理を実行し、Ｎut,m本のアンテナのためのＮut,m個の送信シンボルストリームを提供する。各送信機ユニット（ＴＭＴＲ）２５４が、それぞれの送信シンボルストリームを受け取って処理（例えば、アナログ変換、増幅、フィルタリングおよび周波数アップコンバート）し、アップリンク信号を発生させる。Ｎut,m個の送信機ユニット２５４は、Ｎut,m本のアンテナ２５２からアクセスポイントへの送信のために、Ｎut,m個のアップリンク信号を提供する。
【００３０】
Ｎup個のユーザ端末が、アップリンクでの同時送信のためにスケジューリングされてもよい。これらのユーザ端末のそれぞれは、そのデータシンボルストリームでの空間処理を実行し、その送信シンボルストリームのセットを、アクセスポイントにアップリンクで送信する。
【００３１】
アクセスポイント１１０において、Ｎap本のアンテナ２２４ａないし２２４ａｐは、アップリンクで送信するＮup個すべてのユーザ端末からのアップリンク信号を受信する。各アンテナ２２４は、受信信号をそれぞれの受信機ユニット（ＲＣＶＲ）２２２に提供する。各受信機ユニット２２２は、送信機ユニット２５４によって実行された処理と相補的な処理を実行し、受信シンボルストリームを提供する。ＲＸ空間プロセッサ２４０は、Ｎap個の受信機ユニット２２２からのＮap個の受信シンボルストリームで受信機空間処理を実行し、Ｎup個の復元されたアップリンクデータシンボルストリームを提供する。受信機空間処理は、チャネル相関行列反転（ＣＣＭＩ）、最小平均二乗誤差（ＭＭＳＥ）、ソフト干渉除去（ＳＩＣ）、または、他のいくつかの技術にしたがって実行される。各復元されたアップリンクデータシンボルストリームは、それぞれのユーザ端末によって送信されたデータシンボルストリームの推定である。ＲＸデータプロセッサ２４２が、各復元されたアップリンクデータシンボルストリームを、そのストリームのために使用されたレートにしたがって処理（例えば、復調、デインターリーブおよびデコード）し、デコードされたデータを取得する。各ユーザ端末のためのデコードされたデータは、記憶のためにデータシンク２４４に、および／または、さらなる処理のために制御装置２３０に、提供されてもよい。
【００３２】
ダウンリンクでは、アクセスポイント１１０において、ＴＸデータプロセッサ２１０は、データソース２０８から、ダウンリンク送信のためにスケジューリングされたＮdn個のユーザ端末のためのトラフィックデータを受け取り、制御装置２３０から制御データを受け取り、ことによると、スケジューラ２３４から他のデータを受け取る。さまざまなタイプのデータが、異なるトランスポートチャネルで送信されてもよい。ＴＸデータプロセッサ２１０は、各ユーザ端末のためのトラフィックデータを、そのユーザ端末のために選択されたレートに基づいて処理（例えば、エンコード、インターリーブおよび変調）する。ＴＸデータプロセッサ２１０は、Ｎdn個のユーザ端末のための、Ｎdn個のダウンリンクデータシンボルストリームを提供する。ＴＸ空間プロセッサ２２０は、Ｎdn個のダウンリンクデータシンボルストリームで空間処理（例えば、本開示において説明されるプリコーディングまたはビームフォーミング）を実行し、Ｎap本のアンテナに対するＮap個の送信シンボルストリームを提供する。各送信機ユニット２２２は、それぞれの送信シンボルストリームを受け取って処理し、ダウンリンク信号を発生させる。Ｎap個の送信機ユニット２２２は、Ｎap本のアンテナ２２４からユーザ端末への送信のための、Ｎap個のダウンリンク信号を提供する。
【００３３】
各ユーザ端末１２０において、Ｎut,m本のアンテナ２５２が、アクセスポイント１１０から、Ｎap個のダウンリンク信号を受信する。各受信機ユニット２５４は、関連付けられているアンテナ２５２からの受信信号を処理し、受信シンボルストリームを提供する。ＲＸ空間プロセッサ２６０が、Ｎut,m個の受信機ユニット２５４からのＮut,m個の受信シンボルストリームで受信機空間処理を実行し、ユーザ端末のために復元されたダウンリンクデータシンボルストリームを提供する。受信機空間処理は、ＣＣＭＩ、ＭＭＳＥ、または、他のいくつかの技術にしたがって実行される。ＲＸデータプロセッサ２７０は、復元されたダウンリンクデータシンボルストリームを処理（例えば、復調、デインターリーブおよびデコード）し、ユーザ端末のためのデコードされたデータを取得する。
【００３４】
各ユーザ端末１２０において、チャネル推定器２７８は、ダウンリンクチャネル応答を推定し、ダウンリンクチャネル推定値を提供し、ダウンリンクチャネル推定値は、チャネル利得推定値、ＳＮＲ推定値、ノイズ分散等を含んでもよい。同様に、チャネル推定器２２８が、アップリンクチャネル応答を推定し、アップリンクチャネル推定値を提供する。各ユーザ端末のための制御装置２８０は、典型的に、ユーザ端末のための空間フィルタ行列を、そのユーザ端末のためのダウンリンクチャネル応答行列Ｈdn,mに基づいて導出する。制御装置２３０は、有効アップリンクチャネル応答行列Ｈup,effに基づいて、アクセスポイントのための空間フィルタ行列を導出する。各ユーザ端末のための制御装置２８０は、フィードバック情報（例えば、ダウンリンクおよび／またはアップリンク固有ベクトル、固有値、ＳＮＲ推定値等）をアクセスポイントに送信してもよい。制御装置２３０および２８０はまた、それぞれ、アクセスポイント１１０およびユーザ端末１２０における、さまざまな処理ユニットの動作を制御する。
【００３５】
図３は、ＭＩＭＯシステム１００のようなワイヤレス通信システム内で用いられてもよいワイヤレスデバイス３０２において利用できるさまざまなコンポーネントを図示している。ワイヤレスデバイス３０２は、ここで説明されるさまざまな方法を実現するように構成されていてもよいデバイスのある例である。ワイヤレスデバイス３０２は、アクセスポイント１１０またはユーザ端末１２０であってもよい。
【００３６】
ワイヤレスデバイス３０２は、ワイヤレスデバイス３０２の動作を制御するプロセッサ３０４を備えていてもよい。プロセッサ３０４はまた、中央処理ユニット（ＣＰＵ）と呼ばれることもある。リードオンリーメモリ（ＲＯＭ）およびランダムアクセスメモリ（ＲＡＭ）の双方を含んでもよいメモリ３０６は、命令およびデータをプロセッサ３０４に提供する。メモリ３０６の一部にはまた、不揮発性ランダムアクセスメモリ（ＮＶＲＡＭ）が含まれてもよい。プロセッサ３０４は、典型的に、メモリ３０６内に記憶されているプログラム命令に基づいて、論理および演算動作を実行する。メモリ３０６中の命令は、ここで説明される方法を実現するために実行可能であってもよい。
【００３７】
ワイヤレスデバイス３０２はまた、ハウジング３０８を含んでもよく、ハウジング３０８は、ワイヤレスデバイス３０２と遠隔ロケーションとの間でのデータの送受信を可能にする、送信機３１０および受信機３１２を備えてもよい。送信機３１０および受信機３１２は、トランシーバ３１４に組み合わされてもよい。単数のまたは複数の送信アンテナ３１６が、ハウジング３０８に取り付けられることができ、トランシーバ３１４に電気的に結合されることができる。ワイヤレスデバイス３０２はまた、（示されていない）複数の送信機、複数の受信機、および、複数のトランシーバを備えてもよい。
【００３８】
ワイヤレスデバイス３０２はまた、トランシーバ３１４によって受信された信号のレベルを検出して定量化するために使用してもよい信号検出器３１８を備えてもよい。信号検出器３１８は、総エネルギー、シンボル毎の副搬送波毎のエネルギー、電力スペクトル密度、および、他の信号のような、信号を検出してもよい。ワイヤレスデバイス３０２はまた、信号の処理に使用するためのデジタル信号プロセッサ（ＤＳＰ）３２０を備えてもよい。
【００３９】
ワイヤレスデバイス３０２のさまざまなコンポーネントは、バスシステム３２２により一緒に結合されてもよく、バスシステム３２２は、データバスに加えて、電力バス、制御信号バスおよびステータス信号バスを含んでもよい。
【００４０】
図１に図示されているシステム１００は、ＩＥＥＥ８０２．１１ａｃワイヤレス通信標準規格にしたがって動作してもよい。ＩＥＥＥ８０２．１１ａｃは、ＩＥＥＥ８０２．１１ワイヤレスネットワークにおけるより高いスループットを考慮するＩＥＥＥ８０２．１１の改正を表す。より高いスループットは、一度の複数の局（ＳＴＡ）への平行送信、または、より広いチャネル帯域幅（例えば、８０ＭＨｚまたは１６０ＭＨｚ）を使用することによってのように、いくつかの測定を通して実現されてもよい。ＩＥＥＥ８０２．１１ａｃ標準規格はまた、超高スループット（ＶＨＴ）ワイヤレス通信標準規格と呼ばれることもある。
【００４１】
例示的なＣＳＩフィードバックフレームフォーマット
図４は、本開示のある特定の態様にしたがった、例示的なＣＳＩフィードバックフレームフォーマット４００を図示している。例えば、フレームフォーマット４００は、ＶＨＴ圧縮ビームフォーミングフレームのためのフレームフォーマットであってもよい。フレームフォーマット４００は、カテゴリフィールド４０２（例えば、“ＶＨＴ”、すなわち、このフレームがＶＨＴフレームであることを示す値を有する）と、アクションフィールド４０４（例えば、“圧縮ビームフォーミング”、すなわち、このＶＨＴフレームがＶＨＴ圧縮ビームフォーミングフレームであることを示す値を有する）と、ＶＨＴ ＭＩＭＯ制御フィールド４０６と、圧縮ビームフォーミング報告フィールド４０８と、マルチユーザ（ＭＵ）専用ビームフォーミング報告フィールド４１０とを含んでもよい。フレームフォーマット４００は、単一ユーザ（ＳＵ）フィードバックおよびＭＵフィードバックの双方に対して使用してもよい。ＭＵ専用ビームフォーミング報告フィールド４１０は、トーン毎のＳＳ（空間ストリーム）毎のＳＩＮＲ（信号対干渉プラスノイズ比）（例えば、デルタＳＮＲ；Ｎｂ＝４ビット；［−８：１：７］ｄＢ；およびＮｇ’＝Ｎｇまたは４）を含んでもよい。
【００４２】
図５は、本開示のある特定の態様にしたがった、例示的なＶＨＴ ＭＩＭＯ制御フィールド４０６を図示している。ある特定の態様では、ＶＨＴ ＭＩＭＯ制御フィールド４０６は、３オクテット（２４ビット）までを含んでもよい。ビット５０２（例えば、３ビット）は、圧縮ビームフォーミング行列Ｖ中の列の数（Ｎｃ）を示してもよく、ビット５０４（例えば、３ビット）は、行列Ｖ中の行の数（Ｎｒ）を示してもよい。ビット５０６（例えば、２ビット）は、帯域幅（ＢＷ）（例えば、行列Ｖを生成させる測定で生成されたチャネルの幅）を示してもよい。例えば、０の値は、２０ＭＨｚのチャネル幅を示してもよく、１の値は、４０ＭＨｚのチャネル幅を示してもよく、２の値は、８０ＭＨｚのチャネル幅を示してもよく、３の値は、１６０ＭＨｚのチャネル幅を示してもよい。ビット５０８（例えば、２ビット）は、トーングルーピングのためのグループパラメータの数（Ｎｇ）（ＣＳＩフィードバックのサンプリングについての表示）を含んでもよく、ここで、０の値は、Ｎｇ＝１であることを示してもよく、１の値は、Ｎｇ＝２であることを示してもよく、２の値は、Ｎｇ＝４であることを示してもよい。３の値は、少なくとも一時的に予約されているかもしれない。
【００４３】
ビット５１０は、ギブンス回転角ΨおよびΦ（これらの角度の学術用語は、ＩＥＥＥ８０２．１１標準規格に対するＩＥＥＥ８０２．１１ｎ改正の中の学術用語と同一である）のそれぞれに対するビット分解のような、コードブック情報を含んでもよい。ＳＵモードを伴うある特定の態様では、例えば、ＭＵタイプビット５１２が設定されていない（すなわち、０の値を有する）とき、コードブック情報ビット５１０に対する０の値は、Ψに対する２ビットの分解（すなわち、Ψを定量化するために２ビットが使用される）、および、Φに対する４ビットの分解（すなわち、Φを定量化するために４ビットが使用される）を示してもよく、コードブック情報ビット５１０に対する１の値は、Ψに対する４ビットの分解と、Φに対する６ビットの分解を示してもよい。ＭＵモードを伴う他の態様では、例えば、ＭＵタイプビット５１２が設定されている（すなわち、１の値を有する）とき、ビット５１０に対する０の値は、Ψに対して５ビットの分解、および、Φに対して７ビットの分解を示してもよく、ビット５１０に対する１の値は、Ψに対して７ビットの分解と、Φに対して６ビットの分解を示してもよい。ビット５１４は、サウンディングシーケンス番号（すなわち、ヌルデータパケットアナウンスメント（ＮＤＰＡ）送信請求フィードバックからのシーケンス番号）を含んでもよい。
【００４４】
しかしながら、フレームフォーマット４００は、状態機械がＳＵフィードバックとＭＵフィードバックとの間で実質的に分化するための手段を生成してもよい。例えば、アクセスポイント１１０は、ＳＵフィードバックのためにＶＨＴ制御を使用してサブバンドＳＮＲを抽出するかもしれないが、ＭＵフィードバックではトーン毎のＳＮＲを使用する。ＩＥＥＥ８０２．１１ａｃは、ＭＵ専用ビームフォーミング報告４１０に追加のフィールド（例えば、Ｈフィードバック）を導入してもよい。これらの開発はＭＵ−ＭＩＭＯの採用を妨げるかもしれない。
【００４５】
これらを緩和するために、ＣＳＩフィードバックフレームフォーマットは、ＳＵ／ＭＵ ＣＳＩフレームフォーマットの区別を除いて、シグナリングすることにより、ＳＵおよびＭＵモード間で統一されてもよい。言い換えると、ＣＳＩフィードバックフレームは、ＳＵ−ＭＩＭＯに基づくフレームとＭＵ−ＭＩＭＯに基づくフレームとの異なるフォーマット間で区別する指定を含まない。
【００４６】
図６は、本開示のある特定の態様にしたがった、統一ＣＳＩフィードバックフレームフォーマット６００の例を図示している。“デルタＳＮＲ”フィールドは、すべてのユーザに対して追加されてもよいが、デルタＳＮＲオーバーヘッドは、ギブンス回転角のビット分解（ｂΨ，ｂΦ）＝（２，４）および（４，６）に対して５％よりも少ないかもしれない。各副搬送波ｋ、および、ビームフォーミング行列Ｖの列ｉに対して、デルタＳＮＲ（ΔＳＮＲk,i）は、その列に対するその副搬送波のＳＮＲと、対応する空間時間ストリームの平均ＳＮＲとを比較したデシベル（ｄＢ）における差分として計算されてもよい。言い換えると、デルタＳＮＲは、以下の方程式により表されてもよい：
【数１】
2013542688.tif 000003
【００４７】
ここで、Ｈkは、副搬送波ｋに対する推定されたＭＩＭＯチャネルであり、Ｖk,iは、副搬送波ｋに対するビームフォーミング行列Ｖの列ｉであり、
【数２】
2013542688.tif 000004
【００４８】
は、圧縮ビームフォーミング報告フィールド中で報告された空間時間ストリームｉの平均ＳＮＲであり、
Ｎは、
【数３】
2013542688.tif 000005
【００４９】
を計算するために使用された、ビーム末端において測定される平均ノイズプラス干渉電力である。デルタＳＮＲは、例えば、２または４ビットに定量化されてもよく、１ｂＢ細分性を持つ−８ｄＢから７ｄＢにおよんでもよい（［−８：１：７］ｄＢ）。クライアントは、（ｂΨ，ｂΦ）＝（２，４）および（４，６）に対して、デルタＳＮＲを０ｄＢに設定することが許されてもよい。
【００５０】
（図４中に図示されている）ＭＵ専用ビームフォーミング報告フィールド４１０は、フレームフォーマット６００から除かれてもよい。フレームフォーマット６００は、カテゴリフィールド６０２（例えば、“ＶＨＴ”、すなわち、このフレームがＶＨＴフレームであることを示す値を有する）と、アクションフィールド６０４（例えば、“圧縮ビームフォーミング”、すなわち、このＶＨＴフレームがＶＨＴ圧縮ビームフォーミングフレームであることを示す値を有する）と、ＶＨＴ ＭＩＭＯ制御フィールド６０６と、圧縮ビームフォーミング報告フィールド６０８とを含んでもよい。この方法では、ＣＳＩフィードバックフレームのエンドにおいて、ＭＵ−ＭＩＭＯフィールドの別々のセットは存在しない。ある特定の態様では、ＭＵ専用ビームフォーミング報告フィールド４１０のコンテンツは、圧縮ビームフォーミング報告フィールド６０８内に統合されてもよい。
【００５１】
図７は、本開示のある特定の態様にしたがった、統一ＣＳＩフィードバックフレームを構築し、ＣＳＩフィードバックフレームを送信する例示的な動作７００を図示している。動作７００は、例えば、ユーザ端末１２０において実行されてもよい。動作は、７０２において、第２の装置（例えば、アクセスポイント１１０）が、単一ユーザ複数入力複数出力（ＳＵ−ＭＩＭＯ）またはマルチユーザＭＩＭＯ（ＭＵ−ＭＩＭＯ）を使用して、ユーザ端末と通信している場合に、ＳＮＲに関連する情報を含むフレームを第１の装置（例えば、ユーザ端末）において発生させることにより開始してもよい。言い換えると、ユーザ端末は、いずれのＭＩＭＯケースにおいても、デルタＳＮＲを示すフレームを発生させてもよい。ある特定の態様では、フレームは、ＳＵ−ＭＩＭＯに基づくフレームとＭＵ−ＭＩＭＯに基づくフレームとの異なるフォーマット間で区別する指定（例えば、ＭＵタイプビット５１２、または、ＭＵ専用のビームフォーミング報告フィールド４１０）を含まない。７０４において、第１の装置は、発生させたフレームに基づく信号を第２の装置に送信してもよい。
【００５２】
図８は、本開示のある特定の態様にしたがった、例示的なＶＨＴ ＭＩＭＯ制御フィールド６０６を図示している。（例えば、２ビットの増加された）ビット８１０は、ギブンス回転角ΨおよびΦのそれぞれに対するビット分解を示すコードブック情報、デルタＳＮＲ情報の値を表すビットの数（ＤｅｌｔａＳＮＲ＿Ｎｂまたは単にＮｂ）、表示されたビットの数を使用するデルタＳＮＲ情報、および／または、トーングルーピングのために修正されたグループパラメータの数（Ｎｇ’）を含んでもよい。
【００５３】
図９Ａの表９００において図示されているある特定の態様では、ＳＵ／ＭＵ ＣＳＩフレームフォーマットの区別を除いて、シグナリングする目的で、ＮｂおよびＮｇ’の双方を、コードブック情報ビット８１０の値に依存して変化させもよい。例えば、コードブック情報ビット８１０に対する０の値は、Ψに対する２ビットの分解（すなわち、Ψを定量化するために２ビットが使用される）、および、Φに対する４ビットの分解（すなわち、Φを定量化するために４ビットが使用される）、Ｎｂに対する２ビット（すなわち、デルタＳＮＲの値を表すために２ビットを使用する）、ならびに、Ｎｇと４との積に等しいＮｇ’（Ｎｇ’＝４＊Ｎｇ）を示してもよい。コードブック情報ビット８１０に対する１の値は、Ψに対する４ビットの分解、Φに対する６ビットの分解、Ｎｂに対する２ビット、ならびに、Ｎｇと４との積に等しいＮｇ’を示してもよい。コードブック情報ビット８１０に対する２の値は、Ψに対する５ビットの分解、Φに対する７ビットの分解、Ｎｂに対する４ビット、ならびに、Ｎｇと２との積に等しいＮｇ’を示してもよい。コードブック情報ビット８１０に対する３の値は、Ψに対する７ビットの分解、Φに対する９ビットの分解、Ｎｂに対する４ビット、ならびに、Ｎｇと２との積に等しいＮｇ’を示してもよい。
【００５４】
図９Ｂの表９５０に図示されているある特定の態様では、ＳＵ／ＭＵ ＣＳＩフレームフォーマットの区別を除いて、シグナリングする目的で、Ｎｇ’のみを、コードブック情報ビット８１０の値に依存して変化させもよい。例えば、コードブック情報ビット８１０に対する０の値は、Ψに対する２ビットの分解（すなわち、Ψを定量化するために２ビットが使用される）、および、Φに対する４ビットの分解（すなわち、Φを定量化するために４ビットが使用される）、Ｎｂに対する４ビット（すなわち、デルタＳＮＲの値を表すために４ビットを使用する）、ならびに、Ｎｇと８との積に等しいＮｇ’（Ｎｇ’＝８＊Ｎｇ）を示してもよい。コードブック情報ビット８１０に対する１の値は、Ψに対する４ビットの分解、Φに対する６ビットの分解、Ｎｂに対する４ビット、ならびに、Ｎｇと８との積に等しいＮｇ’を示してもよい。コードブック情報ビット８１０に対する２の値は、Ψに対する６ビットの分解、Φに対する８ビットの分解、Ｎｂに対する４ビット、ならびに、Ｎｇと２との積に等しいＮｇ’を示してもよい。コードブック情報ビット８１０に対する３の値は、Ψに対する７ビットの分解、Φに対する９ビットの分解、Ｎｂに対する４ビット、ならびに、Ｎｇと２との積に等しいＮｇ’を示してもよい。
【００５５】
別の例示的なＣＳＩフィードバックフレームフォーマット
本開示のある特定の態様は、ＩＥＥＥ８０２．１１ａｃ（超高スループット（ＶＨＴ））ワイヤレス通信標準規格のための統一チャネル状態情報（ＣＳＩ）フィードバックフォーマットの構築をサポートする。この構造は、単一ユーザ（ＳＵ）およびマルチユーザ（ＭＵ）フィードバックに対して効率的に動作してもよい。
【００５６】
ある態様では、ＣＳＩフィードバックは、ビームフォーミング行列Ｖの１つ以上の列を含んでもよく、行列Ｖは、ワイヤレスチャネル行列Ｈの特異値分解（ＳＶＤ）を使用して取得されてもよい。例えば、行列Ｖは、ワイヤレスチャネルの右固有ベクトルの行列を含んでもよい。代替的に、行列Ｖは、ワイヤレスチャネルの左固有ベクトルの行列を含んでもよい。別の態様では、ＣＳＩフィードバックは、行列Ｖの１つ以上の列および行列Ｓの１つ以上の列を含んでもよく、行列Ｓは、チャネル行列ＨのＳＶＤを使用して取得されてもよい。例えば、行列Ｓは、ワイヤレスチャネルの固有値の行列を含んでもよい。さらに別の態様では、ＣＳＩフィードバックは、行列Ｈの１つ以上の列を含んでもよい。
【００５７】
ある態様では、行列Ｖに基づくＣＳＩフィードバックは、ＳＵ送信ビームフォーミングのケースにおいて利用されてもよい。ＭＵ−ＭＩＭＯ送信のケースでは、行列Ｈに基づくＣＳＩフィードバックは、行列Ｓおよび行列Ｖの双方に基づくＣＳＩフィードバックよりも良好に機能してもよい。本開示では、行列Ｈに基づくＣＳＩフィードバックが、１つよりも多い送信空間ストリームの数（Ｎｓｓ）、ならびに、等しい変調およびコーディングスキーム（ＭＣＳ）制限に対して、送信ビームフォーミング（ＴｘＢＦ）のための行列Ｖを含むＣＳＩフィードバックよりも良好に機能することが示されている。
【００５８】
アクセスポイント（ＡＰ）が、ＳＵおよびＭＵ送信モードに対する異なるタイプのフィードバックを収集することを避けることは、インプリメンテーションを簡略化するのに有用であるだろう。このアプローチは、ＡＰにおける、ＣＳＩフィードバック収集および処理を簡略化してもよい。このアプローチはまた、ＡＰが、トラフィックおよび再送信に基づいて、送信ビームフォーミングまたはＭＵ−ＭＩＭＯ送信を利用するか否かのオンザフライ決定を行うことを可能にしてもよい。
【００５９】
図１０は、本開示のある特定の態様にしたがった、異なるＣＳＩフィードバックタイプに対する例示的な性能結果のグラフ１０００を図示している。結果は、ＡＰにおける４本の送信アンテナおよび１つ以上のユーザ局（ＳＴＡ）における４本の受信アンテナ、６４ＱＡＭ変調、ならびに、５／６のコーディングレートを使用して発生されたものである。
【００６０】
図１０から、行列Ｖを持つＣＳＩフィードバック（すなわち、プロット１０３０および１０４０）を利用することが結果として相当なフローリングになることに気付いてもよい。一方で、行列Ｈを持つＣＳＩフィードバックを利用することとともに、ＡＰ側における最小平均二乗誤差（ＭＭＳＥ）プリコーディング（すなわち、プロット１０１０および１０２０）は、好ましいエラーレート性能を提供してもよい。
【００６１】
例示的なＣＳＩフィードバックルール
ＶベースのＣＳＩフィードバック、または、ＨベースのＣＳＩフィードバックを利用することの選択とともに、トーングルーピングパラメータＮｇおよびコードブックパラメータを選ぶことの選択は、純粋にクライアント側のインプリメンテーション問題（性能／電力／オーバーヘッド）を表すかもしれない。行列Ｖは、行列Ｈから発生させてもよく、それゆえ、行列Ｈをフィードバックすることはささいなことであることに留意すべきである。また、ＳＵ／ＭＵ区別を持たないことが望ましいかもしれない。
【００６２】
行列Ｖを持つ、または、行列Ｈを持つＣＳＩフィードバックは、いくつかの異なる例示的なシナリオを提案してもよい。例えば、多くの受信アンテナを持つＳＵ可能なＳＴＡは、行列Ｖを持つＣＳＩフィードバックを送信して、送信オーバーヘッドおよび送信電力を節約してもよい。Ｎｓｓ＞１を持つＳＵ可能なＳＴＡは、好ましい性能を達成するために、行列Ｈを持つＣＳＩフィードバックを送信してもよい。図１０から、同等なＭＣＳ制限によるＶベースのＣＳＩフィードバックは、実際には、パケットエラーレート（ＰＥＲ）性能にネガティブに影響するかもしれないことに気付くことができる。ＭＵ可能なＳＴＡは、好ましい性能を取得するために、ＨベースのＣＳＩフィードバックを送信してもよい。ＳＵ可能なＳＴＡは、低いＳＮＲおよびＮｓｓ＝１において、Ｖ（２，４）フィードバックを送信してもよいが、高いＳＮＲにおいて、ＨベースのＣＳＩフィードバックを送信してもよい。
【００６３】
ＡＰは、行列Ｈおよび行列Ｖの双方を処理するように設計されているかもしれない。しかしながら、この設計による複雑性の増加はごくわずかである。ＭＵ−ＭＩＭＯ送信では、（例えば、ＭＭＳＥ／ＺＦ（ゼロフォーシング）プリコーダによる）ＡＰプリコーダ計算は、ユーザ毎のＣＳＩフィードバックがＨベースであるか、または、Ｖベースであるかにかかわらず、同一であってもよい。ＡＰは、ＶベースのＣＳＩフィードバックのケースでは、行列Ｖを減圧する追加のステップを実行する可能性が最も高いかもしれない。
【００６４】
Ｎｓｓ＞１および同等なＭＣＳ制限によるＳＵ送信ビームフォーミングでは、ＡＰは、ＨベースのＣＳＩフィードバックまたはＶベースのＣＳＩフィードバックのいずれに対してもＳＶＤを実行する必要はない。図１０から、ＭＭＳＥプリコーダはＳＶＤよりも良好に機能してもよいことに気付くことができる。
【００６５】
ＳＵ送信ビームフォーミングでは、たとえＡＰがＳＶＤを実行して、ＨベースのＣＳＩフィードバックからＶ行列を発生させたとしても、複雑性は妥当なものであるかもしれない。バッテリーで動作するハンドセットが行列Ｈから行列Ｖを発生させることができる場合、壁掛け式のＡＰもそうすることができる。ＶベースのＣＳＩフィードバックを発生させることができるＳＴＡはまた、ハードウェアを再利用して、プリコーダのための行列Ｖを発生させてもよい。ある態様では、ＡＰは、ＳＵまたはＭＵ送信のいずれかに対するフィードバックを利用してもよい。
【００６６】
ここに説明したＣＳＩフィードバック構造を適用させることにより、ヌルデータパケットアナウンスメント（ＮＤＰＡ）は、Ｖ対Ｈ、Ｎｇおよびコードブックパラメータのような、フィードバックパラメータを指示する必要はない。さらに、能力交換は、Ｖ／ＨベースのＣＳＩフィードバック、異なるＮｇ、および、異なるコードブックのような、ＣＳＩフィードバックパラメータに対するサポートを示す必要はない。
【００６７】
例示的なＣＳＩフィードバックフォーマット
図１１は、本開示のある特定の態様にしたがった、例示的な統一ＣＳＩフィードバックフレームフォーマット１１００を図示している。この構造は、ＣＳＩフィードバックのためのＶＨＴ ＭＩＭＯ制御フィールドを表してもよい。 
ビット１１０２（例えば、３ビット）は、行列ＶまたはＨの列の数（Ｎｃ）を示してもよく、ビット１１０４（例えば、３ビット）は、行列ＶまたはＨの行の数（Ｎｒ）を示してもよい。ビット１１０６（例えば、２ビット）は、帯域幅（ＢＷ）（例えば、行列ＶまたはＨを生成させる測定で生成されたチャネルの幅）を示してもよい。例えば、０の値は、２０ＭＨｚのチャネル幅を示してもよく、１の値は、４０ＭＨｚのチャネル幅を示してもよく、２の値は、８０ＭＨｚのチャネル幅を示してもよく、３の値は、１６０ＭＨｚのチャネル幅を示してもよい。ビット１１０８（例えば、２ビット）は、トーングルーピングのためのグループパラメータの数（Ｎｇ）（ＣＳＩフィードバックのサンプリングについての表示）を含んでもよく、ここで、１の値は、Ｎｇ＝２であることを示してもよく、２の値は、Ｎｇ＝３であることを示してもよく、３の値は、Ｎｇ＝４であることを示してもよい。
【００６８】
ビット１１１０（例えば、２ビット）は、ギブンス回転角ΨおよびΦ（これらの角度の学術用語は、ＩＥＥＥ８０２．１１標準規格に対するＩＥＥＥ８０２．１１ｎ改正の中の学術用語と同一である）に対するビット分解のような、コードブック情報を含んでもよい。図１２Ａ中の表１２００において図示されているある特定の態様では、ＶベースのＣＳＩフィードバックのケースにおいて、ビット１１１０に対する０の値は、Ψに対する２ビットの分解（すなわち、Ψを定量化するために２ビットを使用する）、Φに対する４ビットの分解（すなわち、Φを定量化するために４ビットを使用する）を示してもよく、ビット１１１０に対する１の値は、Ψに対する４ビットの分解、Φに対する６ビットの分解を示してもよく、ビット１１１０に対する２の値は、Ψに対する５ビットの分解、および、Φに対する７ビットの分解を示していてもよく、ビット１１１０に対する３の値は、Ψに対する７ビットの分解、および、Φに対する９ビットの分解を示してもよい。
【００６９】
図１２Ｂ中の表１２５０において図示されている他の態様では、ＨベースのＣＳＩフィードバックのケースでは、ＨベースのＣＳＩフィードバックのＩおよびＱの値に対して、同一のビット幅分解を使用してもよい。例えば、ＨベースのＣＳＩフィードバックのために、ビット１１１０に対する０の値は、４ビットの分解を示してもよく、ビット１１１０に対する１の値は、６ビットの分解を示してよく、ビット１１１０に対する２の値は、８ビットの分解を示してよい。
【００７０】
ＨベースのＣＳＩフィードバックとＶベースのＣＳＩフィードバックとの間で区別するために、フィードバックタイプビット１１１２が使用されてもよい。例えば、０の値は、ＶベースのＣＳＩフィードバックを示してもよい一方で、１の値は、ＨベースのＣＳＩフィードバックを示してもよく、逆もまた同じである。ビット１１１４は、サウンディングシーケンス番号（すなわち、ヌルデータパケットアナウンスメント（ＮＤＰＡ）送信請求フィードバックからのシーケンス番号）を含んでもよい。
【００７１】
ＨベースのＣＳＩフィードバックは、Ｓ行列およびＶ行列の双方を含むＣＳＩフィードバックよりも良好な性能を提供してもよい。たとえＡＰおよびクライアントが、送信ビームフォーミングのためにＶベースのＣＳＩフィードバックを実現したとしても、Ｖ行列およびＳ行列によるＣＳＩフィードバックをサポートするために伴う余分な複雑性は、ＨベースのＣＳＩフィードバックに対する複雑性より大きいかもしれない。Ｎｇトーン毎に、ＡＰは、プリコーダ計算の前に、行列Ｖ、および、行列ＶかけるＳを復元してもよく、クライアントは、行列Ｓを計算してもよい。本開示のある特定の態様にしたがうと、チャネル行列Ｈが、クライアントにおいて０コストで既に利用可能であってもよいことから、ＨベースのＣＳＩフィードバックのために余分な計算を実行する必要はない。
【００７２】
図１３は、本開示のある特定の態様にしたがった、ＣＳＩフィードバックフレームのための統一構造（例えば、フレーム）を構築し、ＣＳＩフィードバック構造を送信する例示的な動作１３００を図示している。ある態様では、動作１３００は、ユーザ端末１２０のような装置により実行されてもよい。動作１３００は、１３０２において、チャネル状態情報（ＣＳＩ）を含む構造を発生させることにより開始してもよく、ＣＳＩは、装置に関係付けられているチャネルの推定を持つ第１の行列、または、第１の行列の特異値分解（ＳＶＤ）に基づいて取得される第２の行列のうちの少なくとも１つを含んでもよい。構造はさらに、第１の行列および第２のいずれの行列がＣＳＩ中に含まれているかという表示を含んでもよい。１３０４において、装置は、チャネルにわたって構造を送信してもよい。
【００７３】
ある特定の態様では、第１の行列および第２のいずれの行列がＣＳＩ中に含まれているかという表示は、ビームフォーミング行列Ｖを示す第１のタイプ（ＣＳＩが第１の行列を含む場合）、または、チャネル行列Ｈを示す第２のタイプ（ＣＳＩが第２の行列を含む場合）を含んでもよい。構造はさらに、第１の行列または第２の行列のうちの少なくとも１つの列または行の数、チャネルに関係付けられている帯域幅、ＣＳＩのサンプリングについての表示（例えば、Ｎｇ）、あるいは、ＣＳＩを表すために使用されるビットの数についての表示のうちの、少なくとも１つを含んでもよい。構造は、ＶＨＴ ＭＩＭＯ制御フィールドを含んでもよく、（第１および第２のいずれの行列がＣＳＩ中に含まれているかという）表示は、ＶＨＴ ＭＩＭＯ制御フィールド内のサブフィールド（例えば、フィードバックタイプビット１１１２により表されるフィードバックタイプサブフィールド）として表されている。
【００７４】
動作１３００はさらに、統一構造の中に含めるものとして、第１の行列、第２の行列、または、１つ以上のパラメータのうちの少なくとも１つを決定することを含んでもよい。１つ以上のパラメータは、ＣＳＩのサンプリングについての表示、または、ＣＳＩを表すために使用されるビットの数についての表示のうちの少なくとも１つを含んでもよい。
【００７５】
上述した方法のさまざまな動作は、対応する機能を実行することができる任意の適切な手段によって実行されてもよい。手段は、回路、特定用途向け集積回路（ＡＳＩＣ）またはプロセッサを含むが、これらに限定されない、さまざまなハードウェアおよび／またはソフトウェアのコンポーネントおよび／またはモジュールを含んでもよい。一般的に、動作が図中に示されている場合、それらの動作は、同様の参照番号を持つ、対応する対照のミーンズプラスファンクションコンポーネントを有していてもよい。例えば、図７に図示した動作７００は、図７Ａに図示した手段７００Ａに対応する。
【００７６】
例えば、送信する手段は、図２に図示されているアクセスポイント１１０の送信機ユニット２２２、図２に描写されているユーザ端末１２０の送信機ユニット２５４、または、図３に示されているワイヤレスデバイス３０２の送信機３１０のような、送信機を含んでもよい。フレームまたは構造を発生させる手段、決定する手段、および／または、処理する手段は、図２に図示されているユーザ端末１２０の、ＴＸデータプロセッサ２８８および／または制御装置２８０のような、１つ以上のプロセッサ、ならびに／あるいは、データソース２８６を含む処理システムを備えていてもよい。
【００７７】
ここで使用する“決定すること”という用語は、幅広いさまざまなアクションを含んでいる。例えば、“決定すること”は、算出すること、計算すること、処理すること、導出すること、調べること、検索すること（例えば、表、データベース、または、別のデータ構造中において検索すること）、確認すること、および、これらに類するものを含めることができる。また、“決定すること”は、受信すること（例えば、情報を受信すること）、アクセスすること（例えば、メモリ中のデータにアクセスすること）、および、これらに類するものを含めることができる。また、“決定すること”は、解決すること、選択すること、選ぶこと、確立すること、および、これらに類するものを含むことができる。
【００７８】
ここで使用する、アイテムのリストのうちの“少なくとも１つ”というフレーズは、単一のメンバーを含む、それらのアイテムの任意の組み合わせのことを指す。例として、ａ、ｂ、またはｃのうちの“少なくとも１つ”は：ａ、ｂ、ｃ、ａ−ｂ、ａ−ｃ、ｂ−ｃ、および、ａ−ｂ−ｃをカバーすることを意図している。
【００７９】
本開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネント、あるいは、ここで記述した機能を実行するように設計されているこれらの任意の組み合わせで、実現または実行できる。汎用プロセッサはマイクロプロセッサであってもよいが、代替実施形態では、プロセッサは、商品として入手可能な任意のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の任意のこのような構成のような、コンピューティングデバイスの組み合わせとして実現できる。
【００８０】
本開示に関連して記述した方法またはアルゴリズムのステップは、ハードウェアで、プロセッサにより実行されるソフトウェアモジュールで、あるいは、２つのものを組み合わせたもので直接的に具現化できる。ソフトウェアモジュールは、技術的に知られている任意の形態の記憶媒体に存在してもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ等を含む。ソフトウェアモジュールは、単一の命令または多くの命令を含むことができ、いくつかの異なるコードセグメントにわたって、異なるプログラム間で、および、複数の記憶媒体にわたって、分散されていてもよい。記憶媒体は、プロセッサが記憶媒体から情報を読み取り、記憶媒体に情報を書き込むことができるようにプロセッサに結合させてもよい。代替実施形態では、記憶媒体はプロセッサと一体化してもよい。
【００８１】
ここで開示した方法は、説明した方法を達成するための１つ以上のステップまたはアクションを含んでいる。方法のステップおよび／またはアクションは、特許請求の範囲から逸脱することなく、相互に入れ替えることができる。言い換えると、ステップまたはアクションの特定の順序が指定されていない限り、特許請求の範囲から逸脱することなく、特定のステップおよび／またはアクションの順序および／または使用を修正できる。
【００８２】
記述した機能は、ハードウェアで、ソフトウェアで、ファームウェアで、または、これらの任意の組み合わせで実現できる。ハードウェアで実現される場合、例示的なハードウェア構成は、ワイヤレスノードにおける処理システムを備えてもよい。処理システムは、バスアーキテクチャとともに実現されてもよい。バスは、処理システムの特定アプリケーションおよび全体的な設計制約に依存して、任意の数の相互接続バスおよびブリッジを含んでもよい。バスは、プロセッサ、機械読取可能媒体およびバスインターフェースを含むさまざまな回路をともにリンクさせることができる。バスインターフェースは、数ある中で、バスを介して、ネットワークアダプタを処理システムに接続するために使用できる。このネットワークアダプタは、ＰＨＹレイヤの信号処理機能を実現するために使用されてもよい。ユーザ端末１２０（図１を参照）のケースでは、ユーザインターフェース（例えば、キーパッド、ディスプレイ、マウス、ジョイスティック等）もまた、バスに接続されてもよい。バスはまた、タイミングソース、周辺機器、電圧レギュレータ、電力管理回路およびこれらの類するもののような、他のさまざまな回路をリンクさせることができる。これらの回路は、技術的によく知られているので、これ以上説明しない。
【００８３】
プロセッサは、バスの管理、および、機械読取可能媒体に記憶されたソフトウェアの実行を含む一般的な処理を担うことができる。プロセッサは、１つ以上の汎用および／または特殊用途プロセッサにより実現できる。例は、ソフトウェアを実行できる、マイクロプロセッサ、マイクロ制御装置、ＤＳＰプロセッサおよび他の回路を含む。ソフトウェアは、ソフトウェア、ファームウェア、ミドルウェア、マイクロコード、ハードウェア記述言語、または、その他の名称で呼ばれるかにかかわらず、命令、データ、またはそれらの任意の組み合わせを意味するものとして広く解釈されるべきである。機械読取可能媒体は、例として、ＲＡＭ（ランダムアクセスメモリ）、フラッシュメモリ、ＲＯＭ（リードオンリーメモリ）、ＰＲＯＭ（プログラマブルリードオンリーメモリ）、ＥＰＲＯＭ（消去可能なプログラマブルリードオンリーメモリ）、ＥＥＰＲＯＭ（電気的に消去可能なプログラマブルリードオンリーメモリ）、レジスタ、磁気ディスク、光ディスク、ハードドライブ、または、他の任意の適切な記憶媒体、あるいは、それらの任意の組み合わせを含んでもよい。機械読取可能媒体は、コンピュータプログラムプロダクトに組み込まれてもよい。コンピュータプログラムプロダクトは、パッケージマテリアルを備えてもよい。
【００８４】
ハードウェアインプリメンテーションでは、機械読取可能媒体は、プロセッサとは別個の処理システムの一部であることができる。しかしながら、当業者が容易に正しく認識するように、機械読取可能媒体、または、そのうちの任意の部分は、処理システムの外部であってもよい。例として、機械読取可能媒体は、伝送回線、データによって変調された搬送波、および／またはワイヤレスノードとは別個のコンピュータプロダクトを含んでもよく、それらはすべて、バスインターフェースを通してプロセッサによりアクセスされてもよい。代替として、または、追加として、機械読取可能媒体、または、そのうちの任意の部分は、キャッシュおよび／または汎用レジスタファイルが用いられるようなケースでは、プロセッサに組み込まれてもよい。
【００８５】
処理システムは、プロセッサの機能を提供する１つ以上のマイクロプロセッサと、機械読取可能媒体の少なくとも一部を提供する外部メモリとを持ち、外部バスアーキテクチャを通して、すべてが他のサポート回路とともにリンクされている、汎用処理システムとして構成されてもよい。代替として、処理システムは、本開示全体を通して説明したさまざまな機能を実行することができる、単一のチップに組み込まれた、プロセッサと、バスインターフェースと、ユーザインターフェース（アクセス端末の場合）と、サポート回路と、機械読取可能媒体の少なくとも一部とを持つＡＳＩＣ（特定用途向け集積回路）を用いて、または、１つ以上のＦＰＧＡ（フィールドプログラマブルゲートアレイ）、ＰＬＤ（プログラマブル論理デバイス）、制御装置、状態機械、ゲート制御された論理、離散ハードウェアコンポーネント、または、他の任意の適切な回路、あるいは、任意の回路の組み合わせを用いて、実現されてもよい。当業者は、特定のアプリケーションおよびシステム全体に課された全体的な設計の制約に依存して、処理システムに対して説明した機能をどのように実現することが最良かを認識するだろう。
【００８６】
機械読取可能媒体は、多数のソフトウェアモジュールを備えてもよい。ソフトウェアモジュールは、プロセッサによって実行されるとき、さまざまな機能を処理システムに実行させる命令を含む。ソフトウェアモジュールは、送信モジュールおよび受信モジュールを含んでもよい。各ソフトウェアモジュールは、単一の記憶デバイスに存在してもよく、または、複数の記憶デバイスにわたって分散されてもよい。例として、ソフトウェアモジュールは、トリガイベントが生じたとき、ハードドライブからＲＡＭにロードされてもよい。ソフトウェアモジュールの実行の間に、プロセッサは、命令のうちのいくつかをキャッシュにロードして、アクセススピードを増加させてもよい。そして、１つ以上のキャッシュラインが、プロセッサによる実行のために、汎用レジスタファイルにロードされてもよい。下記でソフトウェアモジュールの機能を参照するとき、そのような機能は、そのソフトウェアモジュールからの命令が実行されるときに、プロセッサによって実現されることを理解するだろう。
【００８７】
ソフトウェアで実現される場合、機能は、１つ以上の命令またはコードとしてコンピュータ読取可能媒体上に記憶されてもよく、あるいは、１つ以上の命令またはコードとしてコンピュータ読取可能媒体上に送信されてもよい。コンピュータ読取可能媒体は、ある場所から別の場所へのコンピュータプログラムの転送を促進する任意の媒体を含む、コンピュータ記憶媒体および通信媒体の双方を含む。記憶媒体は、コンピュータによってアクセスできる入手可能な任意の媒体であってもよい。限定ではなく例として、そのようなコンピュータ読取可能媒体は、ＲＡＭ、ＲＯＭ、ＥＥＰＲＯＭ、ＣＤ−ＲＯＭ、または、他の光ディスク記憶装置、磁気ディスク記憶装置、または、他の磁気記憶デバイス、あるいは、コンピュータによってアクセスでき、命令もしくはデータ構造の形態で所望のプログラムコードを搬送または記憶するために使用できる他の任意の媒体を含むことができる。また任意の接続は、適切にコンピュータ読取可能媒体と呼ばれる。例えば、ソフトウェアが、ウェブサイト、サーバ、または、他の遠隔ソースから、同軸ケーブル、光ファイバーケーブル、ツイストペア、デジタル加入者回線（ＤＳＬ）、あるいは、赤外線（ＩＲ）、無線およびマイクロ波のような、ワイヤレス技術を使用して伝送される場合、同軸ケーブル、光ファイバーケーブル、ツイストペア、ＤＳＬ、あるいは、赤外線、無線およびマイクロ波のような、ワイヤレス技術は、媒体の定義に含まれる。ここで使用するようなディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、および、ブルーレイディスク（登録商標）を含んでいる。ここで、ディスク（ｄｉｓｋ）が通常、データを磁気的に再生する一方で、ディスク（ｄｉｓｃ）はデータをレーザによって光学的に再生する。したがって、いくつかの態様において、コンピュータ読取可能媒体は、一時的ではないコンピュータ読取可能媒体（例えば、有形の媒体）を含んでもよい。さらに、他の態様では、コンピュータ読取可能媒体は、一時的なコンピュータ読取可能媒体（例えば、信号）を含んでもよい。先のものの組み合わせもまた、コンピュータ読取可能媒体の範囲内に含められるべきである。
【００８８】
したがって、ある特定の態様は、ここに提示した動作を実行するためのコンピュータプログラムプロダクトを含んでいてもよい。例えば、このようなコンピュータプログラムプロダクトは、その上に記憶されている（および／またはエンコードされている）命令を有するコンピュータ読取可能媒体を含んでもよく、命令は、ここで記述した動作を実行するために、１つ以上のプロセッサにより実行可能である。ある特定の態様では、コンピュータプログラムプロダクトは、パーケージマテリアルを含むことができる。
【００８９】
さらに、ここで記述した方法および技術を実現するモジュールおよび／または他の適切な手段は、適応されるユーザ端末および／または基地局により、ダウンロード、ならびに／あるいは、そうでなければ取得することができることを正しく認識すべきである。例えば、このようなデバイスは、ここで記述した方法を実行する手段の転送を促進するために、サーバに結合できる。代替的に、ユーザ端末および／または基地局が、記憶手段をデバイスに結合するとき、または、記憶手段をデバイスに提供するときに、さまざまな方法を取得できるように、ここで記述したさまざまな方法は、記憶手段（例えば、ＲＡＭ、ＲＯＭ、コンパクトディスク（ＣＤ）もしくはフロッピーディスクのような物理記憶媒体等）を介して提供できる。さらに、ここで記述した方法および技術をデバイスに提供する他の任意の適切な技術を利用できる。
【００９０】
特許請求の範囲は、上述した厳密な構成およびコンポーネントに限定されないことを理解すべきである。特許請求の範囲から逸脱することなく、上述した方法および装置の、構成、動作および詳細において、さまざまな修正、変更およびバリエーションを行うことができる。
【図１】
2013542688.tif 000006
【図２】
2013542688.tif 000007
【図３】
2013542688.tif 000008
【図４】
2013542688.tif 000009
【図５】
2013542688.tif 000010
【図６】
2013542688.tif 000011
【図７】
2013542688.tif 000012
【図７Ａ】
2013542688.tif 000013
【図８】
2013542688.tif 000014
【図９Ａ】
2013542688.tif 000015
【図９Ｂ】
2013542688.tif 000016
【図１０】
2013542688.tif 000017
【図１１】
2013542688.tif 000018
【図１２Ａ】
2013542688.tif 000019
【図１２Ｂ】
2013542688.tif 000020
【図１３】
2013542688.tif 000021
【図１３Ａ】
2013542688.tif 000022
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるように構成されている処理システムと、
前記発生させたフレームに基づく信号を前記第２の装置に送信するように構成されている送信機とを具備し、
前記フレームは、ギブンス回転角ΨおよびΦのそれぞれに対するビット分解を示す２ビットを含む第１の装置。
【請求項２】
前記フレームは、前記ＳＮＲの値を表すためのビットの数を示す２ビットを含む請求項１記載の第１の装置。
【請求項３】
前記ビットの数が４ビットである請求項２記載の第１の装置。
【請求項４】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項２記載の第１の装置。
【請求項５】
前記フレームは、トーングルーピングのためのグループパラメータの数（Ｎｇ’）を示す２ビットを含む請求項１記載の第１の装置。
【請求項６】
ワイヤレス通信のための方法において、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させることと、
前記発生させたフレームに基づく信号を前記第２の装置に送信することとを含み、
前記フレームは、ギブンス回転角ΨおよびΦのそれぞれに対するビット分解を示す２ビットを含む方法。
【請求項７】
前記フレームは、前記ＳＮＲの値を表すためのビットの数を示す２ビットを含む請求項６記載の方法。
【請求項８】
前記ビットの数が４ビットである請求項７記載の方法。
【請求項９】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項７記載の方法。
【請求項１０】
前記フレームは、トーングルーピングのためのグループパラメータの数（Ｎｇ’）を示す２ビットを含む請求項６記載の方法。
【請求項１１】
ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させる手段と、
前記発生させたフレームに基づく信号を前記第２の装置に送信する手段とを具備し、
前記フレームは、ギブンス回転角ΨおよびΦのそれぞれに対するビット分解を示す２ビットを含む第１の装置。
【請求項１２】
前記フレームは、前記ＳＮＲの値を表すためのビットの数を示す２ビットを含む請求項１１記載の第１の装置。
【請求項１３】
前記ビットの数が４ビットである請求項１２記載の第１の装置。
【請求項１４】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項１２記載の第１の装置。
【請求項１５】
前記フレームは、トーングルーピングのためのグループパラメータの数（Ｎｇ’）を示す２ビットを含む請求項１１記載の第１の装置。
【請求項１６】
ワイヤレス通信のためのコンピュータプログラムプロダクトにおいて、
コンピュータ読取可能媒体を含み、
前記コンピュータ読取可能媒体は、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるために実行可能な命令と、
前記発生させたフレームに基づく信号を前記第２の装置に送信するために実行可能な命令とを含み、
前記フレームは、ギブンス回転角ΨおよびΦのそれぞれに対するビット分解を示す２ビットを含むコンピュータプログラムプロダクト。
【請求項１７】
ワイヤレスノードにおいて、
少なくとも１本のアンテナと、
装置が、単一ユーザ複数入力複数出力（ＳＵ−ＭＩＭＯ）またはマルチユーザＭＩＭＯ（ＭＵ−ＭＩＭＯ）を使用して前記ワイヤレスノードと通信している場合に、信号対ノイズ比（ＳＮＲ）に関連する情報を含むフレームを発生させるように構成されている処理システムと、
前記発生されたフレームに基づいて、前記少なくとも１本のアンテナを介して、信号を前記装置に送信するように構成されている送信機とを具備し、
前記フレームは、ギブンス回転角ΨおよびΦのそれぞれに対するビット分解を示す２ビットを含むワイヤレスノード。
【請求項１８】
ワイヤレス通信のための装置において、
チャネル状態情報（ＣＳＩ）を含む構造を発生させるように構成されている処理システムと、
チャネルにわたって前記構造を送信するように構成されている送信機とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含む装置。
【請求項１９】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項１８記載の装置。
【請求項２０】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項１８記載の装置。
【請求項２１】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項１８記載の装置。
【請求項２２】
前記処理システムは、前記第１の行列、前記第２の行列、または、前記構造に含めるための１つ以上のパラメータのうちの少なくとも１つを決定するように構成されている請求項１８記載の装置。
【請求項２３】
前記１つ以上のパラメータは、前記ＣＳＩのサンプリングについての表示、または、前記ＣＳＩを表すために使用されるビットの数についての表示のうちの少なくとも１つを含む請求項２２記載の装置。
【請求項２４】
ワイヤレス通信のための方法において、
装置において、チャネル状態情報（ＣＳＩ）を含む構造を発生させることと、
チャネルにわたって前記構造を送信することを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含む方法。
【請求項２５】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項２４記載の方法。
【請求項２６】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項２４記載の方法。
【請求項２７】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項２４記載の方法。
【請求項２８】
前記第１の行列、前記第２の行列、または、前記構造に含めるための１つ以上のパラメータのうちの少なくとも１つを決定することをさらに含む請求項２４記載の方法。
【請求項２９】
前記１つ以上のパラメータは、前記ＣＳＩのサンプリングについての表示、または、前記ＣＳＩを表すために使用されるビットの数についての表示のうちの少なくとも１つを含む請求項２８記載の方法。
【請求項３０】
ワイヤレス通信のための装置において、
チャネル状態情報（ＣＳＩ）を含む構造を発生させる手段と、
チャネルにわたって前記構造を送信する手段とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含む装置。
【請求項３１】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項３０記載の装置。
【請求項３２】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項３０記載の装置。
【請求項３３】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項３０記載の装置。
【請求項３４】
前記第１の行列、前記第２の行列、または、前記構造に含めるための１つ以上のパラメータのうちの少なくとも１つを決定する手段をさらに具備する請求項３０記載の装置。
【請求項３５】
前記１つ以上のパラメータは、前記ＣＳＩのサンプリングについての表示、または、前記ＣＳＩを表すために使用されるビットの数についての表示のうちの少なくとも１つを含む請求項３４記載の装置。
【請求項３６】
ワイヤレス通信のためのコンピュータプログラムプロダクトにおいて、
コンピュータ読取可能媒体を含み、
前記コンピュータ読取可能媒体は、
装置において、チャネル状態情報（ＣＳＩ）を含む構造を発生させるために実行可能な命令と、
チャネルにわたって前記構造を送信するために実行可能な命令とを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含むコンピュータプログラムプロダクト。
【請求項３７】
アクセス端末において、
少なくとも１本のアンテナと、
チャネル状態情報（ＣＳＩ）を含む構造を発生させるように構成されている処理システムと、
前記少なくとも１本のアンテナを介して、チャネルにわたって前記構造を送信するように構成されている送信機とを具備し、
前記ＣＳＩは、前記アクセス端末に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含むアクセス端末。
【手続補正２】
【補正対象書類名】明細書
【補正対象項目名】００９０
【補正方法】変更
【補正の内容】
【００９０】
特許請求の範囲は、上述した厳密な構成およびコンポーネントに限定されないことを理解すべきである。特許請求の範囲から逸脱することなく、上述した方法および装置の、構成、動作および詳細において、さまざまな修正、変更およびバリエーションを行うことができる。
以下に、本願出願時の特許請求の範囲に記載された発明を付記する。
［１］ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるように構成されている処理システムと、
前記発生させたフレームに基づく信号を前記第２の装置に送信するように構成されている送信機とを具備する第１の装置。
［２］前記フレームは、ギブンス回転角ΨおよびΦのそれぞれに対するビット分解を示す２ビットを含む［１］記載の第１の装置。
［３］前記フレームは、前記ＳＮＲの値を表すためのビットの数を示す２ビットを含む［１］記載の第１の装置。
［４］前記ビットの数が４ビットである［３］記載の第１の装置。
［５］前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む［３］記載の第１の装置。
［６］前記フレームは、トーングルーピングのためのグループパラメータの数（Ｎｇ’）を示す２ビットを含む［１］記載の第１の装置。
［７］ワイヤレス通信のための方法において、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させることと、
前記発生させたフレームに基づく信号を前記第２の装置に送信することとを含む方法。
［８］前記フレームは、ギブンス回転角ΨおよびΦのそれぞれに対するビット分解を示す２ビットを含む［７］記載の方法。
［９］前記フレームは、前記ＳＮＲの値を表すためのビットの数を示す２ビットを含む［７］記載の方法。
［１０］前記ビットの数が４ビットである［９］記載の方法。
［１１］前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む［９］記載の方法。
［１２］前記フレームは、トーングルーピングのためのグループパラメータの数（Ｎｇ’）を示す２ビットを含む［７］記載の方法。
［１３］ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させる手段と、
前記発生させたフレームに基づく信号を前記第２の装置に送信する手段とを具備する第１の装置。
［１４］前記フレームは、ギブンス回転角ΨおよびΦのそれぞれに対するビット分解を示す２ビットを含む［１３］記載の第１の装置。
［１５］前記フレームは、前記ＳＮＲの値を表すためのビットの数を示す２ビットを含む［１３］記載の第１の装置。
［１６］前記ビットの数が４ビットである［１５］記載の第１の装置。
［１７］前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む［１５］記載の第１の装置。
［１８］前記フレームは、トーングルーピングのためのグループパラメータの数（Ｎｇ’）を示す２ビットを含む［１３］記載の第１の装置。
［１９］ワイヤレス通信のためのコンピュータプログラムプロダクトにおいて、
コンピュータ読取可能媒体を含み、
前記コンピュータ読取可能媒体は、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるために実行可能な命令と、
前記発生させたフレームに基づく信号を前記第２の装置に送信するために実行可能な命令とを含むコンピュータプログラムプロダクト。
［２０］ワイヤレスノードにおいて、
少なくとも１本のアンテナと、
装置が、単一ユーザ複数入力複数出力（ＳＵ−ＭＩＭＯ）またはマルチユーザＭＩＭＯ（ＭＵ−ＭＩＭＯ）を使用して前記ワイヤレスノードと通信している場合に、信号対ノイズ比（ＳＮＲ）に関連する情報を含むフレームを発生させるように構成されている処理システムと、
前記発生されたフレームに基づいて、前記少なくとも１本のアンテナを介して、信号を前記装置に送信するように構成されている送信機とを具備するワイヤレスノード。
［２１］ワイヤレス通信のための装置において、
チャネル状態情報（ＣＳＩ）を含む構造を発生させるように構成されている処理システムと、
チャネルにわたって前記構造を送信するように構成されている送信機とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含む装置。
［２２］前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む［２１］記載の装置。
［２３］前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む［２１］記載の装置。
［２４］前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される［２１］記載の装置。
［２５］前記処理システムは、前記第１の行列、前記第２の行列、または、前記構造に含めるための１つ以上のパラメータのうちの少なくとも１つを決定するように構成されている［２１］記載の装置。
［２６］前記１つ以上のパラメータは、前記ＣＳＩのサンプリングについての表示、または、前記ＣＳＩを表すために使用されるビットの数についての表示のうちの少なくとも１つを含む［２５］記載の装置。
［２７］ワイヤレス通信のための方法において、
装置において、チャネル状態情報（ＣＳＩ）を含む構造を発生させることと、
チャネルにわたって前記構造を送信することを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含む方法。
［２８］前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む［２７］記載の方法。
［２９］前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む［２７］記載の方法。
［３０］前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される［２７］記載の方法。
［３１］前記第１の行列、前記第２の行列、または、前記構造に含めるための１つ以上のパラメータのうちの少なくとも１つを決定することをさらに含む［２７］記載の方法。
［３２］前記１つ以上のパラメータは、前記ＣＳＩのサンプリングについての表示、または、前記ＣＳＩを表すために使用されるビットの数についての表示のうちの少なくとも１つを含む［３１］記載の方法。
［３３］ワイヤレス通信のための装置において、
チャネル状態情報（ＣＳＩ）を含む構造を発生させる手段と、
チャネルにわたって前記構造を送信する手段とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含む装置。
［３４］前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む［３３］記載の装置。
［３５］前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む［３３］記載の装置。
［３６］前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される［３３］記載の装置。
［３７］前記第１の行列、前記第２の行列、または、前記構造に含めるための１つ以上のパラメータのうちの少なくとも１つを決定する手段をさらに具備する［３３］記載の装置。
［３８］前記１つ以上のパラメータは、前記ＣＳＩのサンプリングについての表示、または、前記ＣＳＩを表すために使用されるビットの数についての表示のうちの少なくとも１つを含む［３７］記載の装置。
［３９］ワイヤレス通信のためのコンピュータプログラムプロダクトにおいて、
コンピュータ読取可能媒体を含み、
前記コンピュータ読取可能媒体は、
装置において、チャネル状態情報（ＣＳＩ）を含む構造を発生させるために実行可能な命令と、
チャネルにわたって前記構造を送信するために実行可能な命令とを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含むコンピュータプログラムプロダクト。
［４０］アクセス端末において、
少なくとも１本のアンテナと、
チャネル状態情報（ＣＳＩ）を含む構造を発生させるように構成されている処理システムと、
前記少なくとも１本のアンテナを介して、チャネルにわたって前記構造を送信するように構成されている送信機とを具備し、
前記ＣＳＩは、前記アクセス端末に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含むアクセス端末。
【国際調査報告】
2013542688.tif 000023
2013542688.tif 000024
2013542688.tif 000025
2013542688.tif 000026
2013542688.tif 000027